(57)【要約】【課題】筐体や扉に加工を施す必要がなく、しかも扉を開扉状態に確実に保持することができる電気機器収納用箱の扉保持部材を提供する。【解決手段】電気機器収納用箱の水切部６を備えた筐体１に、ヒンジにより枢着された扉２を、開扉位置に保持する電気機器収納用箱の扉保持部材である。筐体１の上部もしくは下部の水切部６に外側から係合される水切係合部１０と、扉２の上部もしくは下部の側端部９に係合される扉係合部１１とが連結部１２を介して一体に連結され、ヒンジ軸方向から水切部６及び扉の側端部９に嵌め込んで使用されるものである。水切部６もしくは扉２の側端部９に当接する脱落防止片１８を設けておくことが好ましい。【選択図】図４
2014075404.tif 000002
【特許請求の範囲】
【請求項１】
電気機器収納用箱の水切部を備えた筐体に、ヒンジ軸により枢着された扉を開扉位置に保持する電気機器収納用箱の扉保持部材であって、
筐体の前記水切部に係合される水切係合部と、
扉の側端部に係合される扉係合部とが連結部を介して一体に連結され、
ヒンジ軸方向から該電気機器収納用箱の上部及び下部のうち少なくとも一方の前記水切部及び前記扉の側端部に嵌め込んで使用されることを特徴とする電気機器収納用箱の扉保持部材。
【請求項２】
脱落防止片を有することを特徴とする請求項１記載の電気機器収納用箱の扉保持部材。
【請求項３】
前記脱落防止片は、前記水切部もしくは前記扉の側端部に当接するものであることを特徴とする請求項２記載の電気機器収納用箱の扉保持部材。
【請求項４】
前記脱落防止片は、回動自在なものであることを特徴とする請求項３記載の電気機器収納用箱の扉保持部材。
【請求項５】
前記脱落防止片を仮保持する仮保持部を備えたことを特徴とする請求項４記載の電気機器収納用箱の扉保持部材。
【発明の詳細な説明】
【技術分野】
【０００１】
本発明は、電気機器収納用箱の扉を開いた状態に保持するための電気機器収納用箱の扉保持部材に関するものである。
【背景技術】
【０００２】
電気機器収納用箱の筐体内部に機器の取付けや配線作業などを行なう場合には、扉を開放して作業が行われるが、開いていた扉が衝撃や強風により不用意に閉じると、作業者に危険が及ぶおそれがある。このため、作業中は扉を開扉状態に安定に保持させておくことが必要である。
【０００３】
そこで、筐体と扉との間に扉保持部材を配置し、扉を開扉状態に安定に保持させている。その一例は特許文献１に示される通りである。この扉保持部材は、筐体の開口部底部にストッパ係止具を固設し、扉の内側底部にストッパ位置可変係止具を固設し、これらの間に棒状の係止メンバを掛け渡して扉を開扉状態に安定保持する構造である。
【０００４】
このように筐体や扉にストッパ係止具やストッパ位置可変係止具を固設する構造は、筐体や扉にドリルによる穴開け加工を行なう必要がある。しかし電気機器収納用箱の場合には、防水のために筐体や扉に穴開け加工を行なえないことが多い。
【０００５】
なお、扉を開いたときに扉と筐体との間に形成される隙間に硬い部材を差し込んで扉を開扉状態に保つことも考えられるが、扉の回転軸に近い部分には大きな力が作用するので、硬い部材が扉を変形させてしまうおそれがあった。
【先行技術文献】
【特許文献】
【０００６】
【特許文献１】特開２００５−３１４９７４号公報
【発明の概要】
【発明が解決しようとする課題】
【０００７】
従って本発明の目的は上記した従来の問題点を解決し、筐体や扉に加工を施す必要がなく、しかも扉を開扉状態に確実に保持することができる電気機器収納用箱の扉保持部材を提供することである。
【課題を解決するための手段】
【０００８】
上記の課題を解決するためになされた本発明は、電気機器収納用箱の水切部を備えた筐体に、ヒンジ軸により枢着された扉を開扉位置に保持する電気機器収納用箱の扉保持部材であって、筐体の前記水切部に外側から係合される水切係合部と、扉の側端部に係合される扉係合部とが連結部を介して一体に連結され、ヒンジ軸方向から電気機器収納用箱の上部及び下部のうち少なくとも一方の水切部及び扉の側端部に嵌め込んで使用されることを特徴とするものである。
【０００９】
なお請求項２のように、本発明の扉保持部材は脱落防止片を有することが好ましく、その脱落防止片は、水切部もしくは扉の側端部に当接するものであることが好ましい。また請求項４のように、前記脱落防止片は回動自在なものであることが好ましく、請求項５のように、扉保持部材は脱落防止片を仮保持する仮保持部を備えることが好ましい。
【発明の効果】
【００１０】
本発明の電気機器収納用箱の扉保持部材は、ヒンジ軸方向から水切部及び扉の側端部に嵌め込んで使用されるものであり、従来のような穴開け加工を要することがなく、ねじなどで固定する必要もない。従って筐体や扉に加工を施すことなく、容易に電気機器収納用箱に装着することができる。また、筐体の水切部は水切係合部によって保持され、扉の側端部が扉係合部によって保持されるので、確実に開扉状態を保持することができるうえ、扉を変形させるおそれもない。
【００１１】
請求項２、３のように扉保持部材に脱落防止片を設けておけば、扉保持部材がヒンジ軸方向に脱落することを防止することができる。また請求項４のように脱落防止片を回動自在としておけば、脱落防止操作が容易となり、請求項５のように脱落防止片を仮保持する仮保持部を設けておけば、脱落防止片が不意に動いてしまうことを防止することができる。
【図面の簡単な説明】
【００１２】
【図１】第１の実施形態を示す斜視図である。
【図２】第１の実施形態を示す拡大斜視図である。
【図３】仮保持部の拡大断面図である。
【図４】使用状態を示す斜視図である。
【図５】垂直設置された電気機器収納箱への装着例を示す斜視図である。
【図６】垂直設置された電気機器収納箱への装着例を示す斜視図である。
【図７】第２の実施形態を示す斜視図である。
【図８】第２の実施形態を示す斜視図である。
【図９】電気機器収納箱への装着例を示す斜視図である。
【図１０】電気機器収納箱への装着例を示す斜視図である。
【図１１】第１の実施形態の電気機器収納箱への装着状態の部分断面図である。
【図１２】第２の実施形態の電気機器収納箱への装着状態の部分断面図である。
【発明を実施するための形態】
【００１３】
以下に本発明の好ましい実施形態を示す。
図１〜図７は本発明の第１の実施形態を示す図であり、１は電気機器収納箱の筐体、２はその扉である。筐体１の開口面の周囲には、水平辺３と、垂直な立上辺４と、その上端を外側に折り曲げた折曲辺５とからなる水切部６が形成されている。扉２はヒンジ７によって筐体１の開口面に軸支されている。扉２はハンドル等が取付けられる表面部８と、表面部８の端部を筐体１側に折り曲げ形成した側端部９を備えている。扉２を図１のように開いた状態に保持するため、本発明の扉保持部材が使用される。
【００１４】
図２に示すように、本発明の扉保持部材は、筐体１の水切部６の外側から係合される水切係合部１０と、扉２の側端部９に係合される扉係合部１１とをＬ字平板状の連結部１２を介して一体に連結したものである。本実施形態では扉保持部材の全体が金属板により構成されているが、鋳造品としても、あるいは樹脂成形品としても差支えない。金属製とした場合には、その表面を塗装したり樹脂コーティングすることによって、電気機器収納箱が疵付けないようにしておくことが好ましい。なお、第１の実施形態の扉保持部材は、ヒンジ軸方向の外側から筐体１の上部及び下部のうち少なくとも一方の水切部６と扉２の側端部９に嵌め込んで使用される。すなわち、1つの扉保持部材を筐体１の上部もしくは下部に使用することができるし、2つの扉保持部材を筐体１の上部及び下部の両方同時に使用することもできる。
【００１５】
水切係合部１０は、筐体１の水平辺３の上面に当接する水平当接部１３と、立上辺４の外側面に当接する立上当接部１４と、折曲辺５の下面に当接する折曲当接部１５とから構成されている。この水切係合部１０は、Ｌ字平板状の連結部１２の先端部に形成されており、筐体１の水切部６に外側から嵌め込まれる部分である。なお、折曲当接部１５は省略することもできる。
【００１６】
扉係合部１１は、扉２の側端部９に係合させることができるように断面コの字状に形成されている。扉２の表面に当接する短辺１６と、扉２の裏面に当接する長辺１７とを備え、これらの２つの辺の間に扉２の側端部９を挟み込むことにより、扉２を開扉位置に保持することができる。なお、水切係合部１０及び扉係合部１１のうち、筐体１や扉２と当接する表面には、ゴムパッキンなどのすべり止めを設けておけば、すべり止め効果と密着効果によって、より確実な扉保持効果を得ることができる。
【００１７】
これらの筐体１の水切部６と扉２の側端部９だけでも扉２を開扉位置に保持することはできるが、扉保持部材がヒンジ７の軸方向に外れる可能性がある。そこで本実施形態では、扉保持部材に脱落防止片１８を設けてある。
【００１８】
脱落防止片１８は、前記した扉係合部１１の長辺１７の先端を連結部１２と平行に折り曲げた脱落防止片取付部１９に、ねじ２０等の適宜の手段によって回動自在に取り付けられている。脱落防止片１８は連結部１２と平行な水切部当接辺２１と、ねじ２０を挟んだ反対側を水切部当接辺２１に対して垂直に折り曲げた扉当接辺２２を備えている。なお、扉係合部１１の長辺１７には扉当接辺２２が通過できる通し孔２３が形成されている。
【００１９】
この脱落防止片１８は、図２の状態から時計方向に回転させたとき、水切部当接辺２１が筐体１の水切部６の立上辺４の筐体内面側に当接し、水切係合部１０と水切部当接辺２１とによって水切部６を挟み込むようになっている。また、これと同時に扉当接辺２２は通し孔２３を通過して扉２の側端部９の筐体内面側に当接し、扉係合部１１と扉当接辺２２との間に扉２の側端部９を挟み込むようになっている。このため、脱落防止片１８を回転させておけば、扉保持部材が脱落することはない。
【００２０】
なお、脱落防止片１８を脱落防止位置に保持するため、本実施形態では水切部当接辺２１に仮保持孔２４を設け、脱落防止片取付部１９には頭部をドーム型としたゴム製のブッシュ２５を設けてある。図３に示すように、脱落防止片１８が脱落防止位置まで回動されたときにブッシュ２５が仮保持孔２４に嵌まり込み、その位置に保持される。しかし仮保持可能な構造であれば必ずしもブッシュ２５に限定されるものではなく、適宜の突起を形成しておいても差し支えない。
【００２１】
なお、電気機器収納箱は図１に示されるように平置き型として水平設置されるほか、壁掛け型として垂直設置されることもある。前者の場合には脱落防止片１８が自由に回転できるように軸支しておけば、自重により回動できるようになり、容易に脱落防止位置に保持される。また後者の場合には脱落防止片１８にある程度の力を加えないと回転できないようにしておけば、脱落防止位置から動いてしまうことがない。
【００２２】
このように構成された扉保持部材は、図４に示すように扉２を筐体１に対して所定角度開いた状態で、ヒンジ軸方向の外側から装着されるものであり、装着後に脱落防止片１８を脱落防止位置に回動させておく。この結果、筐体１の水切部６と扉２の側端部８とが連結部１２によって所定角度に安定に保持され、扉２を開扉位置に保持することができる。しかも穴開け加工を要することがなく、ねじなどで固定する必要もない。
【００２３】
なお、図５と図６は垂直設置された電気機器収納箱に第１の実施形態の扉保持部材を装着した様子を示す図である。
【００２４】
次に本発明の第２の実施形態を示す。この第２の実施形態の扉保持部材は、電気機器収納箱の内側からヒンジ軸方向に装着する構造である。
【００２５】
図７、図８に示すように、この扉保持部材も水切係合部５０と扉係合部５１とをＬ字平板状の連結部５２を介して一体に連結したものである。水切係合部５０は筐体１の水切部６の内側から係合されるもので、水切部６の立上辺４の下側に差し込まれる一対の垂直差込辺５３と、水切部６の折曲辺５の上面に当接する水平辺５４とからなる。これらの垂直差込辺５３の上端面と水平辺５４との間に側面視するとコ字状部が形成されるので、その間に筐体１の水切部６が挟まれるように装着される。なお、第２の実施形態の扉保持部材は、ヒンジ軸方向の筐体内側から筐体１の上部及び下部のうち少なくとも一方の水切部６と扉２の側端部９に差込んで使用される。すなわち、1つの扉保持部材を筐体１の上部もしくは下部に使用することができるし、2つの扉保持部材を筐体１の上部及び下部の両方同時に使用することもできる。
【００２６】
扉係合部５１は、連結部５２に対して直角に折り曲げられた扉裏面当接部５５と、これに対して反対方向に平行に延び、扉２の側端部９の下側面９ａに当接する下側面当接部５６と、その先端を直角に折り曲げ、側端部９の筐体内面側に当接する扉側部当接部５７とからなる。図１０に示すように扉係合部５１はこれらの各部によって扉２の側端部９と扉裏面を挟み込み、扉２を保持するものである。
【００２７】
また、前記の水平辺５４の先端部を直角に折り曲げて脱落防止辺取付部５８が形成され、この部分に脱落防止辺５９が軸６０によって枢着されている。脱落防止辺５９は扉当接辺６１を備え、図１０のように回転させたときに扉２の側端部９の筐体外面側に位置し、扉保持部材が電気機器収納箱の内側方向に外れることを防止する。なお脱落防止辺５９はその下部に規制辺６２を備え、前記の水平辺５４の先端部に形成された規制辺当接部６３によって図１０の位置を保持できるようになっている。
【００２８】
このように構成された第２の実施形態の扉保持部材は、図９に示すように筐体１の内側から水切部６と扉２の側端部９に向かって差込し、図１０に示すように脱落防止辺５９を回転させることによって脱落しないように装着するものである。また、扉係合部５１を水切係合部５０と同一直線上から離した位置に形成することで、扉２に閉まる方向に力が加わっても、扉回転方向に力が加わり、扉保持部材がずれることなく扉２を保持することができる。この結果、第１の実施形態と同様に扉２を開扉位置に安定に保持することができる。
【００２９】
なお、図１１に第１の実施形態の装着状態の部分断面図を示し、図１２に第１の実施形態の装着状態の部分断面図を示した。
【符号の説明】
【００３０】
１  電気機器収納箱の筐体
２  扉
３  水平辺
４  立上辺
５  折曲辺
６  水切部
７  ヒンジ
８  表面部
９  側端部
9ａ 下側面
１０  水切係合部
１１  扉係合部
１２  連結部
１３  水平当接部
１４  立上当接部
１５  折曲当接部
１６  短辺
１７  長辺
１８  脱落防止片
１９  脱落防止片取付部
２０  ねじ
２１  水切部当接辺
２２  扉当接辺
２３  通し孔
２４  仮保持孔
２５  ブッシュ
５０  水切係合部
５１  扉係合部
５２  連結部
５３  垂直差込辺
５４  水平辺
５５  扉裏面当接部
５６  下側面当接部
５７  扉側部当接部
５８  脱落防止辺取付部
５９  脱落防止辺
６０  軸
６１  扉当接辺
６２  規制辺
６３  規制辺当接部
【図１】
2014075404.tif 000003
【図２】
2014075404.tif 000004
【図３】
2014075404.tif 000005
【図４】
2014075404.tif 000006
【図５】
2014075404.tif 000007
【図６】
2014075404.tif 000008
【図７】
2014075404.tif 000009
【図８】
2014075404.tif 000010
【図９】
2014075404.tif 000011
【図１０】
2014075404.tif 000012
【図１１】
2014075404.tif 000013
【図１２】
2014075404.tif 000014